【事件の表示】
　特許第２７５３４４３号「釣り用具」の請求項１に係る特許に対する特許異議の申立てについて、次のとおり決定する。
【結　論】
　訂正を認める。
　特許第２７５３４４３号の請求項１に係る特許を維持する。
【理　由】
一、手続の経緯
　本件特許第２７５３４４３号発明（平成６年２月１４日特許出願、平成１０年２月２７日設定登録）の特許に対し、特許異議申立人鈴木勇子（以下、「申立人１」という。）及び同寺井徳男（以下、「申立人２」という。）より特許異議の申立てがなされた。当審において取消理由を通知したところ、その指定期間内である平成１１年４月１６日に訂正請求がなされ、これに対し、異議申立人から回答書が提出され、さらに当審において訂正拒絶理由を通知したところ、平成１１年１２月７日に訂正明細書を補正する手続補正書が提出されたものである。
二、訂正の適否についての判断
１．訂正の内容
　上記手続補正書による補正は訂正請求の要旨を変更するものではないから、特許権者が求めている訂正の内容は、上記手続補正書により補正された、次のとおりである。
（１）特許請求の範囲の訂正
・訂正事項ａ
　特許明細書の特許請求の範囲の「【請求項１】所定形状に成形された部材本体と、前記部材本体上に形成され、光輝性を有する粒子を含む樹脂からなる模様層とを具備し、前記模様層は、前記粒子が高密度に密集して位置するように形成されていることを特徴とする釣り用具。」を、「【請求項１】所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように、光輝性部分の割合が７０％以上の高密度にほぼ同一平面上に密集して模様層内に位置しており、前記模様層の外側に透明又は半透明の保護層を形成したことを特徴とする釣り用具。」と訂正する。
（２）発明の詳細な説明の訂正
・訂正事項ｂ
　同明細書の【０００８】の欄の「【課題を解決するための手段】本発明は、所定形状に成形された部材本体と、前記部材本体上に形成され、光輝性を有する粒子を含む樹脂からなる模様層とを具備し、前記模様層は、前記粒子が高密度に密集して位置するように形成されていることを特徴とする釣り用具を提供する。」を、「【課題を解決するための手段】本発明は、所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように、光輝性部分の割合が７０％以上の高密度にほぼ同一平面上に密集して模様層内に位置しており、前記模様層の外側に透明又は半透明の保護層を形成したことを特徴とする釣り用具を提供する。」と訂正する。
・訂正事項ｃ
　同明細書の【００１０】の欄の「【作用】本発明の釣り用具は、粒子が高密度に密集して位置するように形成されており、光輝性を有する粒子を含む樹脂からなる模様層を具備することを特徴としている。」を、「【作用】本発明の釣り用具は、光輝性を有すると共に大きさが３０μｍ以下で厚さが２μｍ以下の箔状の粒子を含む厚さ２０μｍ以下の樹脂からなる模様層を具備しており、前記箔状の粒子は、その模様層に入射した光を規則性を有して特定方向に反射させるように、光輝性部分の割合が７０％以上の高密度にほぼ同一平面上に密集していることを特徴としている。」と訂正する。
・訂正事項ｄ
　同明細書の【００１１】の欄の「模様層中の粒子が高密度に密集して配置されているので、模様層に入射した光は規則性を有して特定方向に反射する。これにより、金属を鏡面状に研磨したときに得られる光輝性を有した外観模様を形成することができる。さらに、密集して配置された粒子は、模様層を構成する合成樹脂により一体的に固定されるので、釣り用具に外部から応力が加わったり、曲げ変形により歪みが生じても、実質的に粒子には応力や歪みは加わらない。このため、模様層の剥離や模様層の亀裂の発生を防止することができ、強度や耐久性が向上する。」を、「上記のような大きさの箔状の粒子が、光輝性部分の割合が７０％以上の高密度にほぼ同一平面上に密集して、そこに入射した光を規則性を有して特定方向に反射させることで、金属を鏡面状に研磨したときに得られる光輝性を有した外観模様を形成することができる。さらに、密集して配置された粒子は、模様層を構成する合成樹脂により一体的に固定されるので、釣り用具に外部から応力が加わったり、曲げ変形により歪みが生じても、実質的に粒子には応力や歪みは加わらない。このため、模様層の剥離や模様層の亀裂の発生を防止することができ、強度や耐久性が向上する。」と訂正する。
・訂正事項ｅ
　同明細書の【００２２】の欄の「この密集した配置は、図６に示す透明樹脂層６３中の光反射用粒子６２の配置とはまったく異なる。すなわち、図６において透明樹脂層６３の上面に位置しない光反射用粒子６２が存在する領域は、顕微鏡写真においては図２において黒色部分に相当する。したがって、図６に示す透明樹脂層６３の顕微鏡写真を撮影すると、黒色部分が相当多くなり、上記のような光輝性は得られない。なお、この黒色部分は、まったくないことが望ましいが、全体の面積の３０％未満、好ましくは１０％未満であれば、全体として上記のような光輝性を発揮することができる。また、この黒色部分は、全体の面積の５０％未満であっても、模様層１４中においてほぼ同一平面上に粒子１３が密集して配置されている領域があれば、全体として上記のような光輝性を発揮することができる。」を、「この密集した図２の配置は、図６に示す透明樹脂層６３中の光反射用粒子６２の配置とはまったく異なる。すなわち、図６において透明樹脂層６３の上面に位置しない光反射用粒子６２が存在する領域は、顕微鏡写真においては図２において黒色部分に相当する。したがって、図６に示す透明樹脂層６３の顕微鏡写真を撮影すると、黒色部分が相当多くなり、上記のような光輝性は得られない。なお、この黒色部分は、まったくないことが望ましいが、全体の面積の３０％未満（粒子による光輝性部分の割合が７０％以上）、好ましくは１０％未満（粒子による光輝性部分の割合が９０％以上）であれば、全体として上記のような光輝性を発揮することができる。また、この黒色部分は、全体の面積の５０％未満であっても、模様層１４中においてほぼ同一平面上に粒子１３が密集して配置されている領域があれば、全体として上記のような光輝性を発揮することができる。」と訂正する。
２．訂正の目的の適否、新規事項の有無及び拡張・変更の存否
　上記（１）の訂正事項ａの訂正は、特許請求の範囲の減縮を目的とするものに該当する。
  また、上記（２）の訂正事項ｂ〜ｅの訂正は、発明の詳細な説明の記載を訂正後の特許請求の範囲の記載と整合させるためのものであるから、上記（２）の訂正事項ｂ〜ｅの訂正は明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
３．独立特許要件の判断
（１）訂正明細書の発明
　訂正明細書の請求項１に係る発明（以下、「訂正明細書の発明」という。）は、訂正明細書の特許請求の範囲の請求項１に記載された事項により特定される次のとおりのものである。
  「【請求項１】所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように、光輝性部分の割合が７０％以上の高密度にほぼ同一平面上に密集して模様層内に位置しており、前記模様層の外側に透明又は半透明の保護層を形成したことを特徴とする釣り用具。」
（２）引用刊行物
・引用例１：特開平３−２１９８２２号公報（申立人１提出の甲第１号証）
・引用例２：特開昭６０−１６６４２５号公報（申立人１提出の甲第２号証）
・周知例１：「塗装工学（第１６巻第１号）」１９８１年１月３０日、日本塗装技術協会発行、２１頁〜２６頁「アルミニウム・ペーストのことはじめ」の項（申立人１提出の甲第３号証）
・周知例２：特開平２−２４５０７２号公報（申立人１提出の甲第４号証）
・周知例３：特開昭６４−１１１７０号公報（申立人１提出の甲第５号証）
（３）各引用例に記載の発明
・引用例１には、釣竿に関し、「（１）部材本体に、光反射用粒子を混在させた透光性を有する透明樹脂層を形成し、この透明樹脂層の外側に、透光性を有する透明保護層を形成してなることを特徴とする部材の表層部構造。（２）光反射用粒子は、透光性を有する内核と、この内核の外側に形成された光を反射するための外殻とからなることを特徴とする請求項１記載の部材の表層部構造。」（特許請求の範囲請求項１及び請求項２）、「なお、この光反射用粒子１３の外径は、例えば、５０〜５００ミクロンメートルとされており、内核１９は、透光性を有するガラス、樹脂等により形成されている。また、外殻２１は、金、銀、ニッケル等の金属を、内核１９に、例えば、無電解メッキ等によりコーティングして形成されている。」（３頁左上欄７〜１３行）が記載されている。
・引用例２には、金属光沢に優れた造型装飾材の製造方法に関し、「１．球状若しくは樹脂状又は多孔質の微小粉末となされた銅等の金属粉と合成樹脂系接着剤とを交ぜ合わせてなる混合物を、遠心成形機の回転鋳型内に注入し、該回転鋳型を必要に応じて加温しながら５０〜１０００ｒ．ｐ．ｍで回転させることにより、造型装飾材の外表面に金属粉を集合させて、外表面における金属粉集合密度を向上させたことを特徴とする金属光沢に優れた造型装飾材の製造方法。」（特許請求の範囲）、「この発明の実施に用いられる金属粉は、銅、錫、金、銀、鉄、鉛、亜鉛、ニッケル等の単一金属あるいは青銅、真鍮等の合金の粉末であって、５０〜５００メッシュ程度の粒径のものが好ましい。」（２頁左上欄８〜１１行）が記載されている。
・周知例１には、アルミニウム・ペーストに関し、「メタリック効果は、多くの異なった角度からの光源と視角に対するアルミニウム粒子表面からの光の反射との関係によって生じる。これは数百万のごとく微細な光沢のある鱗片状のアルミニウム粒子が存在するからである。」（２３頁左欄２８〜３２行）、「アルミニウム・ペースト中のアルミニウム粒子は、一般顔料と異なり、粒子形状が鱗状であり、また比較的、粒子径が大きい特長がある。」（２４頁右欄１６〜１８行）、「粒子の大きさは用途によって決まるが、メタリック塗料用としては、フルイ残分４４μｍ、０．１％以下である。」（２５頁左欄１８〜２０行）、「リーフィング・タイプ・アルミニウム・ペーストは、・・・ビヒクル中に浮上し、その表面に平行配列する、いわゆる、リーフィング現象を有する特長がある。」（２５頁右欄６〜１２行）、「リーフィング・タイプ・アルミニウム・ペーストは、被塗物の保護、光の反射、美観の目的で構造物、船舶、車両、印刷などに使用されている。」（２６頁左欄５〜８行）が記載されている。
・周知例２及び周知例３には、塗料組成物に関し、「（１）厚み０．５〜１．５μ、平均粒径１０〜４５μのアルミ箔、・・・からなる群より選ばれるリン片状金属顔料と、・・・含むことを特徴とする塗料組成物。」（特許請求の範囲請求項１）が記載されている。
（４）対比・判断
　訂正明細書の発明と上記引用例１及び引用例２に記載の発明とを対比すると、引用例１及び引用例２に記載の発明は、訂正明細書の発明を特定する、本件訂正によって限定された事項である「前記粒子は、模様層に入射した光を、規則性を有して特定方向に反射させるように、光輝性部分の割合が７０％以上の高密度にほぼ同一平面上に密集して模様層内に位置しており、」の構成を備えていない。また、周知例１ないし周知例３においても該構成が記載されていない。そして、訂正明細書の発明は前記構成により明細書記載の効果を奏するものと認められるから、訂正明細書の発明を、上記引用例１及び引用例２に記載の発明並びに周知技術に基いて当業者が容易に発明をすることができたものとすることはできない。
　したがって、訂正明細書の発明は特許出願の際独立して特許を受けることができるものである。
４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項の規定において準用する同第１２６条第２ないし４項の訂正に関する規定に適合するので、当該訂正を認める。
三、特許異議の申立てについて
１．申立人１の特許異議申立理由の概要
　申立人１は、下記の証拠方法を提示して、本件の請求項１に係る発明は、甲第１号証及び甲第２号証に記載された発明並びに甲第３号証ないし甲第５号証に記載の周知技術に基いて当業者が容易に発明をすることができたものであるから、その特許は、特許法第２９条第２項の規定に違反してされたものであり、取り消されるべきである、と主張している。
　　　　　　　　　　　　　　　　　記
甲第１号証：特開平３−２１９８２２号公報
甲第２号証：特開昭６０−１６６４２５号公報
甲第３号証：「塗装工学（第１６巻第１号）」１９８１年１月３０日、日本塗装技術協会発行、２１頁〜２６頁「アルミニウム・ペーストのことはじめ」の項
甲第４号証：特開平２−２４５０７２号公報
甲第５号証：特開昭６４−１１１７０号公報
２．申立人２の特許異議申立理由の概要
　申立人２は、甲第１号証として特開平４−３５５１２５号公報を提示して、本件の請求項１に係る発明は、甲第１号証に記載された発明であるから特許法第２９条第１項第３号に該当し、或いは、上記甲第１号証に基いて当業者が容易に発明をすることができたものであるから、同第２９条第２項の規定により特許を受けることができないものであり、さらに、特許明細書には記載不備があり特許法第３６条の規定に違反しているから、本件特許は取り消されるべきである、と主張している。
３．当審の判断
（１）本件発明
　本件発明は、上記二、３．独立特許要件の判断の（１）訂正明細書の発明の項に記載した次のとおりのものである。
「【請求項１】所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように、光輝性部分の割合が７０％以上の高密度にほぼ同一平面上に密集して模様層内に位置しており、前記模様層の外側に透明又は半透明の保護層を形成したことを特徴とする釣り用具。」（以下、これを「本件発明」という。）
（２）申立人１の特許異議申立について
（２−１）甲号各証に記載の発明
　申立人１が提出した甲第１号証ないし甲第５号証には、上記二、３．独立特許要件の判断の（３）各引用例に記載の発明の項に、引用例１及び引用例２、並びに、周知例１ないし周知例３に記載の発明として記載したとおりの発明が、それぞれ記載されている。
（２−２）判断
　しかし、甲第１号証及び甲第２号証には、本件発明の「前記粒子は、模様層に入射した光を、規則性を有して特定方向に反射させるように、光輝性部分の割合が７０％以上の高密度にほぼ同一平面上に密集して模様層内に位置しており、」の構成が記載されてなく、また示唆されてもいない。
　また、申立人１が提出した他の甲第３号証ないし甲第５号証にも、本件発明の上記「前記粒子は、模様層に入射した光を、規則性を有して特定方向に反射させるように、光輝性部分の割合が７０％以上の高密度にほぼ同一平面上に密集して模様層内に位置しており、」の構成が記載されてなく、また示唆もない。そして、本件発明は前記構成により明細書記載の効果を奏するものと認められるから、本件発明を、甲第１号証及び甲第２号証に記載された発明並びに甲第３号証ないし甲第５号証に記載の周知技術に基いて当業者が容易に発明をすることができたもの、とすることができない。
（３）申立人２の特許異議申立について
（３−１）甲第１号証に記載の発明
　上記甲第１号証には、サビキ釣りの擬似餌等に用いられる光反射性粒子シートに関し、「【請求項１】フィルム状またはシート状の支持材料の少なくとも片面に、金属光沢面または真珠光沢面を有して光を反射する光反射性粒子が多数付着され、該光反射性粒子の光反射面がランダムな方向に形成されてなることを特徴とする光反射性粒子分散シート。」（特許請求の範囲）、「【請求項３】実質的に溶剤を含まない粘着剤層を介して、上記支持材料に前記光反射性粒子を接着してなる請求項１または請求項２記載の光反射性粒子分散シート。」（特許請求の範囲）、「【作用】本発明において好適に用いられる光反射性粒子とは、金属光沢面または真珠光沢面を有する薄片状粒子であり、・・・上記光反射性粒子１を支持するフィルムの少なくとも片面に形成された粘着剤層３に多数散布して圧着することにより、上記光反射性粒子１の一部が重なり合う等して該光反射性粒子の光反射面をあらゆる方向へばらつかせ、光を周囲のランダム方向へ反射するシートを得ることができる。」（２欄２０〜２７行）、「上記光反射性粒子は市販のものを用いることができ、例えばフィルムの表面に金属層が形成されてなるシートや或は多数の薄膜を重ねることにより真珠光沢を醸し出すシートを用い、これを四角、丸、三角等任意の形状に裁断した薄片状粒子を用いればよく、上記粒子の好ましい大きさは、四角片の場合０．００１〜１０ｍｍ角であり、０．０１〜１ｍｍ角がより好ましい。」（２欄３１〜３７行）が記載されている。
（３−２）判断
　しかし、甲第１号証には、本件発明の「前記粒子は、模様層に入射した光を、規則性を有して特定方向に反射させるように、光輝性部分の割合が７０％以上の高密度にほぼ同一平面上に密集して模様層内に位置しており、」の構成が記載されてなく、また示唆されてもいないから、本件発明を、甲第１号証に記載された発明であるとすることができず、また甲第１号証に基いて当業者が容易に発明をすることができたものとすることもできない。そして、本件発明は前記構成により明細書記載の効果を奏するものと認められる。
（３−３）特許明細書の記載不備についての判断
　また、本件特許明細書は、訂正請求の結果、訂正明細書の記載のとおりであり、本件発明は前記訂正明細書の特許請求の範囲の請求項１に係る発明の構成のとおりであって、本件特許明細書には申立人２が主張した記載不備は訂正により解消されたから、本件発明は特許法第３６条の規定に違反する特許出願に対して特許されたものとすることもできない。
四、むすび
　以上のとおりであるから、特許異議申立人１及び特許異議申立人２の申立ての理由及び提出した証拠方法によっては、本件発明の特許を取り消すことができない。また、他に本件発明の特許を取り消すべき理由を発見しない。
　よって、結論のとおり決定する。
【異議決定日】
平成１２年２月２日（２０００．２．２）
【訂正の要旨】
訂正の要旨
・訂正事項ａ
　特許明細書の特許請求の範囲の
「【請求項１】所定形状に成形された部材本体と、前記部材本体上に形成され、光輝性を有する粒子を含む樹脂からなる模様層とを具備し、前記模様層は、前記粒子が高密度に密集して位置するように形成されていることを特徴とする釣り用具。」を、
特許請求の範囲の減縮を目的として、
「【請求項１】所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように、光輝性部分の割合が７０％以上の高密度にほぼ同一平面上に密集して模様層内に位置しており、前記模様層の外側に透明又は半透明の保護層を形成したことを特徴とする釣り用具。」と訂正する。
・訂正事項ｂ
　同明細書の【０００８】の欄の
「【課題を解決するための手段】本発明は、所定形状に成形された部材本体と、前記部材本体上に形成され、光輝性を有する粒子を含む樹脂からなる模様層とを具備し、前記模様層は、前記粒子が高密度に密集して位置するように形成されていることを特徴とする釣り用具を提供する。」を、
明りょうでない記載の釈明を目的として、
「【課題を解決するための手段】本発明は、所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように、光輝性部分の割合が７０％以上の高密度にぼぼ同一平面上に密集して模様層内に位置しており、前記模様層の外側に透明又は半透明の保護層を形成したことを特徴とする釣り用具を提供する。」と訂正する。
・訂正事項ｃ
　同明細書の【００１０】の欄の
「【作用】本発明の釣り用具は、粒子が高密度に密集して位置するように形成されており、光輝性を有する粒子を含む樹脂からなる模様層を具備することを特徴としている。」を、
明りょうでない記載の釈明を目的として、
「【作用】本発明の釣り用具は、光輝性を有すると共に大きさが３０μｍ以下で厚さが２μｍ以下の箔状の粒子を含む厚さ２０μｍ以下の樹脂からなる模様層を具備しており、前記箔状の粒子は、その模様層に入射した光を規則性を有して特定方向に反射させるように、光輝性部分の割合が７０％以上の高密度にほぼ同一平面上に密集していることを特徴としている。」と訂正する。
・訂正事項ｄ
　同明細書の【００１１】の欄の
「模様層中の粒子が高密度に密集して配置されているので、模様層に入射した光は規則性を有して特定方向に反射する。これにより、金属を鏡面状に研磨したときに得られる光輝性を有した外観模様を形成することができる。さらに、密集して配置された粒子は、模様層を構成する合成樹脂により一体的に固定されるので、釣り用具に外部から応力が加わったり、曲げ変形により歪みが生じても、実質的に粒子には応力や歪みは加わらない。このため、模様層の剥離や模様層の亀裂の発生を防止することができ、強度や耐久性が向上する。」を、
明りょうでない記載の釈明を目的として、
「上記のような大きさの箔状の粒子が、光輝性部分の割合が７０％以上の高密度にほぼ同一平面上に密集して、そこに入射した光を規則性を有して特定方向に反射させることで、金属を鏡面状に研磨したときに得られる光輝性を有した外観模様を形成することができる。さらに、密集して配置された粒子は、模様層を構成する合成樹脂により一体的に固定されるので、釣り用具に外部から応力が加わったり、曲げ変形により歪みが生じても、実質的に粒子には応力や歪みは加わらない。このため、模様層の剥離や模様層の亀裂の発生を防止することができ、強度や耐久性が向上する。」と訂正する。
・訂正事項ｅ
　同明細書の【００２２】の欄の
「この密集した配置は、図６に示す透明樹脂層６３中の光反射用粒子６２の配置とはまったく異なる。すなわち、図６において透明樹脂層６３の上面に位置しない光反射用粒子６２が存在する領域は、顕微鏡写真においては図２において黒色部分に相当する。したがって、図６に示す透明樹脂層６３の顕微鏡写真を撮影すると、黒色部分が相当多くなり、上記のような光輝性は得られない。なお、この黒色部分は、まったくないことが望ましいが、全体の面積の３０％未満、好ましくは１０％未満であれば、全体として上記のような光輝性を発揮することができる。また、この黒色部分は、全体の面積の５０％未満であっても、模様層１４中においてほぼ同一平面上に粒子１３が密集して配置されている領域があれば、全体として上記のような光輝性を発揮することができる。」を、
明りょうでない記載の釈明を目的として、
「この密集した図２の配置は、図６に示す透明樹脂層６３中の光反射用粒子６２の配置とはまったく異なる。すなわち、図６において透明樹脂層６３の上面に位置しない光反射用粒子６２が存在する領域は、顕微鏡写真においては図２において黒色部分に相当する。したがって、図６に示す透明樹脂層６３の顕微鏡写真を撮影すると、黒色部分が相当多くなり、上記のような光輝性は得られない。なお、この黒色部分は、まったくないことが望ましいが、全体の面積の３０％未満（粒子による光輝性部分の割合が７０％以上）、好ましくは１０％未満（粒子による光輝性部分の割合が９０％以上）であれば、全体として上記のような光輝性を発揮することができる。また、この黒色部分は、全体の面積の５０％未満であっても、模様層１４中においてほぼ同一平面上に粒子１３が密集して配置されている領域があれば、全体として上記のような光輝性を発揮することができる。」と訂正する。
（５４）【発明の名称】
釣り用具
（５７）【特許請求の範囲】
　【請求項１】所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、
　前記粒子は、模様層に入射した光を、規則性を有して特定方向に反射させるように
、光輝性部分の割合が７０％以上の
ほぼ同一平面上に
【発明の詳細な説明】
　【０００１】
　【産業上の利用分野】
　本発明は、釣り竿、リール等の釣り用具に関する。
　【０００２】
　【従来の技術】
　従来より釣り竿、リール等の釣り用具に光輝性を発揮する層を設けて美的外観を向上させている。例えば、特開平３−２１９８２２号公報には、光反射用粒子を混在させた透明樹脂層を設けてなる釣り竿が開示されている。この釣り竿は、図６に示すように、所望形状に成形された部材本体６１上に光反射用粒子６２を含む透明樹脂層６３が形成されており、さらに透明樹脂層６３上に透明保護層６４が形成されてなるものである。
　【０００３】
　このような構成を有する釣り竿においては、光反射用粒子６２が透明樹脂層６３中にほぼ均一に分散されているので、透明樹脂層６３の深さに関係なく内部からも光の反射が起こり、深みのある、すなわち立体感のある外観を得ることができる。
　また、釣り竿の部材本体の外側に金箔、銀箔等の金属箔を貼着して光輝性を発揮させることも行われている。
　【０００４】
　【発明が解決しようとする課題】
　しかしながら、上記公報において開示されている釣り竿の場合、透明樹脂層６３中に光反射用粒子６２がほぼ均一に分散されているので、乱反射が起こり光の反射方向が一定でなくなる。
　【０００５】
　また、透明樹脂層６３中の深さ方向においてもほぼ均一に分散されているので、透明樹脂層６３の下方、すなわち部材本体６１に近い領域に位置する光反射用粒子まで到達した光は、そこで反射しても、より上方に位置する粒子に遮られたりする。このため、透明樹脂層６３の下方の光反射用粒子まで光が達する領域では、入射量よりも出射量が少なくなる可能性がある。したがって、上記公報において開示されている釣り竿の場合、場所により光の反射にバラツキが生じる。その結果、釣り竿全体としてくすんだ感じの外観となり、消費者の購買意欲を喚起するような所望の光輝性を得ることができない。
　【０００６】
　一方、釣り竿の部材本体の外側に金属箔を貼着する場合、釣り竿に外部から応力が加わったり、曲げ変形により歪みが生じると、金属箔に亀裂が発生して金属箔が部材本体から剥離したり、金属箔が波打ったりしてしまう。その結果、金属箔に亀裂が発生した部分では光の反射が少なくなり、釣り竿全体として光の反射にバラツキが生じる。この場合にも、消費者の購買意欲を喚起するような所望の光輝性を得ることができない。
　【０００７】
　本発明はかかる点に鑑みてなされたものであり、優れた光輝性による良好な外観を有し、しかも強度および耐久性に優れた釣り用具を提供することを目的とする。
　【０００８】
　【課題を解決するための手段】
　本発明は、所定形状に成形された部材本体と、前記部材本体上に形成され、光輝性を有すると共に大きさが３０μｍ以下で厚さが２μｍ以下の箔状の粒子を含む樹脂からなる厚さ２０μｍ以下の模様層とを具備し、前記粒子は、模様層に入射した光を、規則性を有して特定方向に反射させるように
、光輝性部分の割合が７０％以上の
ほぼ同一平面上に
　【０００９】
　ここで、本発明の釣り用具の対象となるものとしては、釣り竿、リール、玉網、ルアー等を挙げることができる。
　本発明において、部材本体と模様層との密着性を向上させるために、両者の間に下地層を設けることが好ましい。また、耐久性向上のために、模様層上に保護層を形成することが好ましい。なお、下地層および保護層は、単層であってもよいし、複数層であってもよい。
　【００１０】
　【作用】
　本発明の釣り用具は、光輝性を有すると共に大きさが３０μｍ以下で厚さが２μｍ以下の箔状の粒子を含む厚さ２０μｍ以下の樹脂からなる模様層を具備しており、前記箔状の粒子は、その模様層に入射した光を規則性を有して特定方向に反射させるように
、光輝性部分の割合が７０％以上の
ほぼ同一平面上に
　【００１１】
　上記のような大きさの箔状の粒子が
、光輝性部分の割合が７０％以上の
ほぼ同一平面上に
　【００１２】
　【実施例】
　以下、本発明の実施例を図面を参照して具体的に説明する。
（実施例１）
　図１は本発明の釣り用具である釣り竿の一実施例を示す断面図である。図中１１は部材本体を示す。部材本体１１上には、下地層１２が形成されている。下地層１２上には、上面近傍に比較的高密度に密集して配置された光輝性を有する粒子１３を含む模様層１４が形成されている。さらに、模様層１４上には、保護層１５が形成されている。
　【００１３】
　部材本体１１を構成する材料としては、合成樹脂、繊維強化プラスチック、金属、またはセラミック等を用いることができる。部材本体１１上に直接模様層１４を形成する場合には、模様層１４を良好に形成することができるように、部材本体１１の表面をほぼ鏡面状の平滑に仕上げることが好ましい。部材本体１１の表面を平滑に仕上げる方法としては、バレル研磨、バフ仕上げ等を挙げることができる。
　【００１４】
　下地層１２は、塗装、メッキ等の方法で形成することができる。また、下地層１２の材料は、部材本体１１および模様層１４を構成する合成樹脂との密着性を考慮して選択する必要がある。例えば、下地層１２を塗装で形成する場合、エポキシ系やウレタン系の塗料等を用いることができる。この場合、模様層１４中の粒子１３の色に近似する色調の塗料を用いることが好ましい。下地層１２の厚さは、５〜３０μｍであることが好ましい。これは、下地層１２の厚さが５μｍ未満であると部材本体１１の凹凸に下地層１２が追従して下地層１２の表面が平滑にならず、下地層１２の厚さが３０μｍを超えると釣り用具全体の重量が増加するからである。なお、下地層１２の表面は、模様層１４を良好に形成することができるように、ほぼ鏡面状の平滑に仕上げることが好ましい。
　【００１５】
　光輝性１３を有する粒子としては、金、銀、アルミニウム、アルミニウム合金、マグネシウム、銅、錫、クロム、コバルト、黄銅、鉄、ステンレス、ニッケル、亜鉛等からなる薄い箔状のものを用いることが好ましい。この薄い箔状の粒子は、テフロンやシリコーン樹脂等からなるフィルム状の支持基板上に上記金属を蒸着またはスパッタリングして金属層を形成し、その後金属層を支持基板から剥離して粉砕することにより作製することができる。
　【００１６】
　この場合、粒子１３の大きさは好ましくは３０μｍ以下、さらに好ましくは５〜２０μｍである。これは、粒子１３の大きさが３０μｍを超えると配置された粒子の境界が目立つようになったり、光の反射方向が一定しなくなり、均質な光輝性が発揮できないからである。また、粒子１３の厚さは２μｍ以下であることが好ましい。これは、粒子１３の厚さが２μｍを超えると模様層中に配置する際に凹凸ができ易く、光輝性が低下するからである。さらに、粒子１３の厚さは００３〜１．０μｍであることが特に好ましい。これは、粒子１３の厚さが０．０３〜１．０μｍの範囲内であれば粒子１３を良好に高密度に密集させて配置することができ、良好に光を反射することができ、実用的である。なお、粒子１３の厚さは、支持基板上に形成する金属層の厚さを調節することにより制御が可能である。
　【００１７】
　模様層１４の材料としては、前記粒子１３を安定に保持することができるエポキシ系、ウレタン系等の透明または半透明の合成樹脂を用いることができる。また、模様層１４の厚さは２μｍ以上であればよいが、２０μｍ以下であることが好ましい。これは、模様層１４の厚さが２μｍ未満であると厚さ２μｍの粒子を用いた場合に粒子が露出してしまうからである。
　【００１８】
　部材本体１１または下地層１２上に模様層１４を形成する方法としては、粒子１３を高い添加率で粒子を合成樹脂に混合して塗料を作製し、その塗料を部材本体に塗布した後、乾燥・硬化させる方法、部材本体１１または下地層１２に合成樹脂を塗布して半硬化の状態としておき、前記粒子１３をその上に密に配置し、その後合成樹脂を完全硬化させる方法等が挙げられる。後者の方法においては、粒子１３を密に配置した後に再び合成樹脂を塗布した後に硬化させてもよい。前記粒子１３を配置する場合、あらかじめ前記粒子１３に接着被膜を形成することもできる。なお、半硬化および完全硬化は、合成樹脂の硬化温度や硬化時間等の硬化条件を調節することにより制御することができる。
　【００１９】
　上記のようにして模様層１４を形成する場合、模様層１４の表面は平滑であることが好ましい。このようにすることにより、模様層１４において鏡面状の光反射を均一に実現することができる。
　【００２０】
　保護層１５は、塗装等の方法で形成することができる。また、保護層１５の材料は、模様層１４を構成する合成樹脂との密着性を考慮して選択する必要があり、例えば、エポキシ樹脂、ウレタン樹脂等の透明または半透明の合成樹脂等を用いることができる。
　【００２１】
　上記構成を有する模様層１４は、光輝性を有する粒子１３が上面近傍に比較的高密度に密集して配置されている。この状態を図２に示す。図２は模様層１４を上方から撮影した顕微鏡写真である。図２から分かるように、粒子１３のレベルで凹凸はあるものの、ほぼ同一平面上に全面にわたって粒子１３が密集して配置されている。これにより、金属を鏡面状に研磨したときに得られるような光輝性を示す。
　【００２２】
　この密集した
図２の
（粒子による光輝性部分の割合が７０％以上）
（粒子による光輝性部分の割合が９０％以上）
　【００２３】
　本実施例では、模様層１４の上面近傍においてほぼ同一平面上に粒子１３を密集させて配置しているが、模様層１４の厚さ方向の中央部や下面近傍にほぼ同一平面上に粒子１３を密集させて配置してもよい。
（実施例２）
　図３は本発明の釣り用具である釣り竿の他の実施例を示す断面図である。図３において図１と同じ部分については、図１と同一符号を付して説明は省略する。図３は、模様層１４の上面近傍に密集して配置する粒子２１が粗い場合について示している。このように比較的粗い粒子２１を使用する場合には、光輝性を向上させるために、模様層１４を形成した後にその表面を研磨して粒子２１を模様層１４表面に露出させる。
　【００２４】
　上記構成を有する釣り竿においても、金属を鏡面状に研磨したときに得られるような光輝性を示す。
（実施例３）
　図４および図５は本発明の釣り用具である釣り竿の他の実施例を示す図である。図４および図５に示す釣り竿では、模様層１４における粒子１３の配置の仕方や模様層１４の形成の仕方により装飾性を向上させている。すなわち、図４に示すように、粒子１３を上面近傍に配置する密度を場所により変えて密集配置領域３１と分散配置領域３２とを形成する。このような模様層１４は、吹付け塗装法、静電塗装法、ディッピング法等により形成することができる。また、図５に示すように、粒子１３を上面近傍に密集して配置した模様層１４を下地層１２上に部分的に形成し、模様層１４の配置自体を模様にする。このような模様層１４は、スクリーン印刷法等により形成することができる。
　図４および図５に示す構成を有する釣り竿においても、金属を鏡面状に研磨したときに得られるような光輝性を示す。
　【００２５】
　【発明の効果】
　以上説明した如く本発明の釣り用具は、前記粒子が高密度に密集して位置するように形成されており、光輝性を有する粒子を含む樹脂からなる模様層を具備するので、優れた光輝性による良好な外観を有し、しかも優れた強度および耐久性を発揮するものである。
【図面の簡単な説明】
　【図１】
　本発明の釣り用具の構成の一実施例を示す断面図。
　【図２】
　本発明の釣り用具の模様層を示す写真。
　【図３】
　本発明の釣り用具の構成の他の実施例を示す断面図。
　【図４】
　本発明の釣り用具における模様層の他の例を示す図。
　【図５】
　本発明の釣り用具における模様層の他の例を示す図。
　【図６】
　従来の釣り用具の構成を示す断面図。
　【符号の説明】
　１１…部材本体、１２…下地層、１３，２１…光輝性を有する粒子、１４…模様層、１５…保護層、３１…密集配置領域、３２…分散配置領域。